(57)【要約】      （修正有）【課題】屋外にあると現時点から設定時間内に判定されたことがない指示部を操作して、異常検知部の停止を指示することを防止できる警備システムを提供する。【解決手段】屋内の異常を検知できる異常検知部１３０と、屋内に配され、異常検知部の稼動および停止を制御できる制御部１１０と、制御部と通信できるとともに制御部に異常検知部の稼動および停止を指示できる指示部２３４と、を備える。制御部は、指示部との通信に基づいて、指示部が屋内および屋外のいずれの位置にあるかを判定する位置判定部１１２を有し、指示部の位置が屋外であると現時点から第１の設定時間内に位置判定部に判定されたことがない第１の状態である指示部からの指示に基づいて、稼動している異常検知部を停止させる処理を行わない。【選択図】図１
2017027174.tif 000002
【特許請求の範囲】
【請求項１】
警備システムであって、
屋内の異常を検知できる異常検知部と、
前記屋内に配され、前記異常検知部の稼動および停止を制御できる制御部と、
前記制御部と通信できるとともに前記制御部に前記異常検知部の稼動および停止を指示できる指示部と、を備え、
前記制御部は、前記指示部との通信に基づいて、前記指示部が前記屋内および屋外のいずれの位置にあるかを判定する位置判定部を有し、
前記制御部は、
前記指示部の位置が前記屋外であると現時点から第１の設定時間内に前記位置判定部に判定されたことがない第１の状態である前記指示部からの指示に基づいて、稼動している前記異常検知部を停止させる処理を行わず、
前記指示部の位置が前記屋外であると現時点から前記第１の設定時間内に前記位置判定部に判定されたことがある第２の状態である前記指示部からの指示に基づいて、稼動している前記異常検知部を停止させる処理を行う、警備システム。
【請求項２】
請求項１に記載の警備システムであって、
前記第１の状態である指示部が停止している前記異常検知部を稼動させるよう前記制御部に指示してから第２の設定時間を経過したことを含む第１の条件が満たされる場合は、前記制御部は、前記第１の状態である前記指示部からの指示に基づいて、稼動している異常検知部を停止させる処理を行わず、
前記第１の条件が満たされない場合は、前記制御部は、前記第１の状態である前記指示部からの指示に基づいて、稼動している異常検知部を停止させる処理を行う、警備システム。
【請求項３】
請求項１または請求項２に記載の警備システムであって、さらに、
前記指示部は、前記指示部における振動を検知する振動検知部を有し、
前記振動検知部が振動を検知することによって前記指示部は振動検知信号を出力し、
前記制御部が受信した前記振動検知信号の強さが第１の閾値を超えている場合、前記位置判定部は前記指示部の位置が前記屋内であると判定し、
前記制御部が受信した前記振動検知信号の強さが前記第１の閾値未満である場合、前記位置判定部は前記指示部の位置が前記屋外であると判定する、警備システム。
【請求項４】
請求項３に記載の警備システムであって、
前記振動検知部が継続した振動を検知しなくなったことによって前記指示部は振動停止信号を出力し、
前記制御部が受信した前記振動停止信号の強さが第２の閾値を超えている場合、前記位置判定部は前記指示部の位置が前記屋内であると判定し、
前記制御部が受信した前記振動停止信号の強さが前記第２の閾値未満である場合、前記位置判定部は前記指示部の位置が前記屋外であると判定する、警備システム。
【請求項５】
請求項１から請求項４までのいずれか一項に記載の警備システムであって、さらに、
前記制御部は、前記指示部の状態が前記第１の状態と前記第２の状態とのうちのいずれであるか記録する記録部を有する、警備システム。
【請求項６】
請求項５に記載の警備システムであって、
前記第２の状態であると前記記録部に記録されている指示部が稼動している前記異常検知部を停止させるよう前記制御部に指示した場合、前記記録部は、前記指示部の状態が前記第１の状態であると記録する、警備システム。
【請求項７】
請求項４に記載の警備システムであって、さらに、
前記制御部は、前記指示部の状態が前記第１の状態と前記第２の状態とのうちのいずれであるか記録する記録部を有し、
前記第２の状態であると前記記録部に記録されている前記指示部における前記振動検知部が継続した振動を検知しなくなったことによって前記指示部は前記振動停止信号を出力し、
前記制御部が受信した前記振動停止信号の強さが第２の閾値を超えているとともに前記異常検知部が稼動している場合、前記記録部は、前記指示部の状態が前記第２の状態であると記録し、
前記制御部が受信した前記振動停止信号の強さが前記第２の閾値を超えているとともに前記異常検知部が停止している場合、前記記録部は、前記指示部の状態が前記第１の状態であると記録する、警備システム。
【請求項８】
請求項４に記載の警備システムであって、
前記第１の閾値は、第１の固定値であり、
前記第２の閾値は、第２の固定値である、警備システム。
【請求項９】
請求項４に記載の警備システムであって、
前記第１の閾値は、前記制御部が最後に受信した前記振動検知信号の強さのａ倍（０＜ａ＜１）の値であり、
前記第２の閾値は、前記制御部が最後に受信した前記振動停止信号の強さのｂ倍（０＜ｂ＜１）の値である、警備システム。
【請求項１０】
請求項１または請求項２に記載の警備システムであって、さらに、
前記指示部は、前記指示部における振動を検知する振動検知部を有し、
前記振動検知部が振動を検知することによって前記指示部は振動検知信号を出力し、
前記制御部が受信した前記振動検知信号の強さが第１の閾値を超えている場合、前記位置判定部は前記指示部の位置が前記屋内であると判定し、
前記制御部が受信した前記振動検知信号の強さが前記第１の閾値未満であるとともに前記第１の閾値より低い第３の閾値を超えている場合、前記位置判定部は前記指示部の位置が前記屋外であると判定し、
前記制御部が受信した前記振動検知信号の強さが前記第３の閾値未満である場合、前記位置判定部は前記指示部の位置を判定しない、警備システム。
【請求項１１】
請求項１０に記載の警備システムであって、
前記振動検知部が継続した振動を検知しなくなったことによって前記指示部は振動停止信号を出力し、
前記制御部が受信した前記振動停止信号の強さが第２の閾値を超えている場合、前記位置判定部は前記指示部の位置が前記屋内であると判定し、
前記制御部が受信した前記振動停止信号の強さが前記第２の閾値未満であるとともに前記第２の閾値より低い第４の閾値を超えている場合、前記位置判定部は前記指示部の位置が前記屋外であると判定し、
前記制御部が受信した前記振動停止信号の強さが前記第４の閾値未満である場合、前記位置判定部は前記指示部の位置を判定しない、警備システム。
【請求項１２】
請求項１または請求項２に記載の警備システムであって、
前記制御部と前記指示部との継続的な通信が途切れた場合、前記位置判定部は、前記通信が途切れた前記指示部の位置は前記屋外であると判定する、警備システム。
【発明の詳細な説明】
【技術分野】
【０００１】
本発明は、警備システムに関する。
【背景技術】
【０００２】
警備システムには、住居等の家屋に設置されることによって屋内への不法な侵入者を検出するものが広く知られている。このような警備システムは、不法な侵入者を警戒する警戒モードと、警戒モードを解除された通常モードとを切り換える。
【先行技術文献】
【特許文献】
【０００３】
【特許文献１】特開２００６−１１９３０号公報
【発明の概要】
【発明が解決しようとする課題】
【０００４】
特許文献１には、ユーザー（住居等の家屋における居住者）の操作に応じて、警戒モードと通常モードの切り換えが可能な警備システムが記載されている。特許文献１のような切り換えをリモコンによって行うことができる態様においては、この警備システムが設置された家屋に同居する居住者が複数であることを考慮して、複数のリモコンを備えたものがある。そのような警備システムでは、外出先に持っていかれなかったリモコンが留守になった屋内に残される場合がある。そのような場合において、屋内に侵入した侵入者が屋内に残されたリモコンを操作することによって、警戒モードを解除することができるという課題があった。そのため、複数のリモコンを備えた警備システムにおいて、侵入者が屋内に残されたリモコンを操作して警戒モードを解除することを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、警備システムが提供される。この警備システムは、屋内の異常を検知できる異常検知部と、前記屋内に配され、前記異常検知部の稼動および停止を制御できる制御部と、前記制御部と通信できるとともに前記制御部に前記異常検知部の稼動および停止を指示できる指示部と、を備え、前記制御部は、前記指示部との通信に基づいて、前記指示部が前記屋内および屋外のいずれの位置にあるかを判定する位置判定部を有し、前記制御部は、前記指示部の位置が前記屋外であると現時点から第１の設定時間内に前記位置判定部に判定されたことがない第１の状態である前記指示部からの指示に基づいて、稼動している前記異常検知部を停止させる処理を行わず、前記指示部の位置が前記屋外であると現時点から前記第１の設定時間内に前記位置判定部に判定されたことがある第２の状態である前記指示部からの指示に基づいて、稼動している前記異常検知部を停止させる処理を行う。このような態様とすれば、指示部の位置が屋外であると現時点から第１の設定時間内に位置判定部に判定されたことがない指示部を用いて、異常検知部の停止を指示することができない。そのため、侵入者が、屋外に持ち出されず屋内に残された指示部を操作して異常検知部の停止を指示することを防止できる。よって、侵入者による屋内の異常を適切に検知できる。また、指示部の位置が屋外であると現時点から第１の設定時間内に位置判定部に判定されたことがある指示部を用いて、異常検知部の停止を指示できる。そのため、警備システムが設置された家屋に住む居住者が指示部を携帯して外出先から帰宅した際には、指示部を操作して異常検知部の停止を指示することができる。よって、侵入者対策をするとともに居住者の利便性を維持できる。
【０００７】
（２）上記の警備システムにおいて、前記第１の状態である指示部が停止している前記異常検知部を稼動させるよう前記制御部に指示してから第２の設定時間を経過したことを含む第１の条件が満たされる場合は、前記制御部は、前記第１の状態である前記指示部からの指示に基づいて、稼動している異常検知部を停止させる処理を行わず、前記第１の条件が満たされない場合は、前記制御部は、前記第１の状態である前記指示部からの指示に基づいて、稼動している異常検知部を停止させる処理を行ってもよい。このような態様とすれば、指示部が停止している異常検知部を稼動させるよう制御部に指示してから第２の設定時間を経過する前であれば、指示部を用いて稼動している異常検知部を停止させるよう制御部に指示できる。例えば、警備システムが設置された家屋に住む居住者が外出する際に、指示部を用いて異常検知部の稼動を一旦指示したものの、忘れ物を取りに行く等の事情によりすぐに異常検知部を停止したい場合に、指示部を用いて異常検知部の停止を指示できる。
【０００８】
（３）上記の警備システムにおいて、さらに、前記指示部は、前記指示部における振動を検知する振動検知部を有し、前記振動検知部が振動を検知することによって前記指示部は振動検知信号を出力し、前記制御部が受信した前記振動検知信号の強さが第１の閾値を超えている場合、前記位置判定部は前記指示部の位置が前記屋内であると判定し、前記制御部が受信した前記振動検知信号の強さが前記第１の閾値未満である場合、前記位置判定部は前記指示部の位置が前記屋外であると判定してもよい。このような態様とすれば、振動検知部が振動を検知することによって指示部から制御部へ出力された信号の強さに基づいて、位置判定部は、指示部が屋内および屋外のいずれの位置にあるかを判定できる。また、振動をトリガーに信号を出力させることによって、信号の無駄打ちを防止できることから、信号の出力による電源の消耗を抑制できる。振動は、指示部が移動したときに発生し、指示部が移動していないときには発生しないことから、振動が発生していないときは、指示部が最後に移動したときに出力された信号に基づいて位置判定部が行った判定を維持していればよい。このため、指示部が移動したときのみ信号を出力するため、信号の出力による電源の消耗を抑制できる。
【０００９】
（４）上記の警備システムにおいて、前記振動検知部が継続した振動を検知しなくなったことによって前記指示部は振動停止信号を出力し、前記制御部が受信した前記振動停止信号の強さが第２の閾値を超えている場合、前記位置判定部は前記指示部の位置が前記屋内であると判定し、前記制御部が受信した前記振動停止信号の強さが前記第２の閾値未満である場合、前記位置判定部は前記指示部の位置が前記屋外であると判定してもよい。このような態様とすれば、振動検知部が継続した振動を検知しなくなったことによって指示部から制御部へ出力された信号の強さに基づいて、位置判定部は、指示部が屋内および屋外のいずれの位置にあるかを判定できる。
【００１０】
（５）上記の警備システムにおいて、さらに、前記制御部は、前記指示部の状態が前記第１の状態と前記第２の状態とのうちのいずれであるか記録する記録部を有してもよい。
【００１１】
（６）上記の警備システムにおいて、前記第２の状態であると前記記録部に記録されている指示部が稼動している前記異常検知部を停止させるよう前記制御部に指示した場合、前記記録部は、前記指示部の状態が前記第１の状態であると記録してもよい。このような態様とすれば、第２の状態であると記録されている指示部は、稼動している異常検知部を停止させるよう制御部に指示したのち第１の状態であると記録されるため、指示部が第２の状態であると記録されたまま屋内に放置されることを防止できる。
【００１２】
（７）上記の警備システムにおいて、さらに、前記制御部は、前記指示部の状態が前記第１の状態と前記第２の状態とのうちのいずれであるか記録する記録部を有し、前記第２の状態であると前記記録部に記録されている前記指示部における前記振動検知部が継続した振動を検知しなくなったことによって前記指示部は前記振動停止信号を出力し、
前記制御部が受信した前記振動停止信号の強さが第２の閾値を超えているとともに前記異常検知部が稼動している場合、前記記録部は、前記指示部の状態が前記第２の状態であると記録し、前記制御部が受信した前記振動停止信号の強さが前記第２の閾値を超えているとともに前記異常検知部が停止している場合、前記記録部は、前記指示部の状態が前記第１の状態であると記録してもよい。このような態様とすれば、第２の状態であると記録されている指示部を携帯して居住者が帰宅したときに異常検知部が停止している場合、記録部は、指示部の状態を第１の状態であると記録することができる。その結果、指示部が第２の状態であると記録されたまま屋内に放置されることを防止できる。よって、侵入者が屋内に残された指示部を操作して異常検知部の停止を指示することを防止できる。
【００１３】
（８）上記の警備システムにおいて、前記第１の閾値は、第１の固定値であり、前記第２の閾値は、第２の固定値であってもよい。このような態様とすれば、指示部から制御部へ出力された振動検知信号が第１の固定値を超えたかどうか、および、指示部から制御部へ出力された振動停止信号が第２の固定値を超えたかどうか、に基づいて、位置判定部は、指示部が屋内および屋外のいずれの位置にあるかを判定できる。
【００１４】
（９）上記の警備システムにおいて、前記第１の閾値は、前記制御部が最後に受信した前記振動検知信号の強さのａ倍（０＜a＜１）の値であり、前記第２の閾値は、前記制御部が最後に受信した前記振動停止信号の強さのｂ倍（０＜ｂ＜１）の値であってもよい。このような態様とすれば、指示部における電源の消耗に伴って振動検知信号および振動停止信号が弱くなった場合、弱くなった振動検知信号および振動停止信号に基づいて、位置判定部は、指示部が屋内および屋外のいずれの位置にあるかを判定できる。
【００１５】
（１０）上記の警備システムにおいて、さらに、前記指示部は、前記指示部における振動を検知する振動検知部を有し、前記振動検知部が振動を検知することによって前記指示部は振動検知信号を出力し、前記制御部が受信した前記振動検知信号の強さが第１の閾値を超えている場合、前記位置判定部は前記指示部の位置が前記屋内であると判定し、前記制御部が受信した前記振動検知信号の強さが前記第１の閾値未満であるとともに前記第１の閾値より低い第３の閾値を超えている場合、前記位置判定部は前記指示部の位置が前記屋外であると判定し、前記制御部が受信した前記振動検知信号の強さが前記第３の閾値未満である場合、前記位置判定部は前記指示部の位置を判定しなくてもよい。このような態様とすれば、振動検知部が振動を検知することによって指示部から制御部へ出力された信号の強さに基づいて、位置判定部は、指示部が屋内および屋外のいずれの位置にあるかを判定できる。また、第３の閾値を設けていることによって、位置判定部は、指示部が屋内および屋外のいずれの位置にあるかをより精度良く判定できる。例えば、警備システムが設置された家屋に住む居住者が指示部を携帯して外出する際に、家屋から離れることに伴って、振動検知信号の強さは通常、第１の閾値を下回ってから、第１の閾値を下回るとともに第３の閾値を上回っている状態へ、といったように段階的に弱くなっていく。しかし、指示部の故障および指示部における電源の消耗（もしくは、電源が切れること）等によって、振動検知信号の強さが、第１の閾値を上回っている状態から、第１の閾値を下回るとともに第３の閾値を上回っている状態を経ることなく、第３の閾値を下回る、といったように断続的に弱くなった場合、位置判定部は指示部の位置が屋外であると判定せず、指示部の位置を判定しない。このため、位置判定部は、指示部が屋内および屋外のいずれの位置にあるかをより精度良く判定できる。
【００１６】
（１１）上記の警備システムにおいて、前記振動検知部が継続した振動を検知しなくなったことによって前記指示部は振動停止信号を出力し、前記制御部が受信した前記振動停止信号の強さが第２の閾値を超えている場合、前記位置判定部は前記指示部の位置が前記屋内であると判定し、前記制御部が受信した前記振動停止信号の強さが前記第２の閾値未満であるとともに前記第２の閾値より低い第４の閾値を超えている場合、前記位置判定部は前記指示部の位置が前記屋外であると判定し、前記制御部が受信した前記振動停止信号の強さが前記第４の閾値未満である場合、前記位置判定部は前記指示部の位置を判定しなくてもよい。このような態様とすれば、振動検知部が継続した振動を検知しなくなったことによって指示部から制御部へ出力された信号の強さに基づいて、位置判定部は、指示部が屋内および屋外のいずれの位置にあるかを判定できる。また、第４の閾値を設けていることによって、位置判定部は、指示部が屋内および屋外のいずれの位置にあるかをより精度良く判定できる。例えば、警備システムが設置された家屋に住む居住者が指示部を携帯して外出する際に、家屋から離れることに伴って、振動停止信号の強さは通常、第２の閾値を下回ってから、第２の閾値を下回るとともに第４の閾値を上回っている状態へ、といったように段階的に弱くなっていく。しかし、指示部の故障および指示部における電源の消耗（もしくは、切れること）等によって、振動停止信号の強さが、第２の閾値を上回っている状態から、第２の閾値を下回るとともに第４の閾値を上回っている状態を経ることなく、第４の閾値を下回る、といったように断続的に弱くなった場合、位置判定部は指示部の位置が屋外であると判定せず、指示部の位置を判定しない。このため、位置判定部は、指示部が屋内および屋外のいずれの位置にあるかをより精度良く判定できる。
【００１７】
（１２）上記の警備システムにおいて、前記制御部と前記指示部との継続的な通信が途切れた場合、前記位置判定部は、前記通信が途切れた前記指示部の位置は前記屋外であると判定してもよい。このような態様とすれば、制御部と指示部との継続的な通信が途切れたことに基づいて、位置判定部は、指示部が屋外にあると判定できる。
【００１８】
本発明の形態は、警備システムの形態に限るものではなく、例えば、警備システムを管理する管理装置の他、警備システムや管理装置の機能をコンピュータに実現させるためのプログラムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１９】
【図１】警備システムについて示した説明図である。
【図２】位置判定部が実行する判定処理を示すフローである。
【図３】位置判定部が実行する判定処理を示すフローである。
【図４】位置判定部が実行する判定処理を示すフローである。
【図５】位置判定部が判定する判定処理を示すフローである。
【図６】位置判定部が判定する判定処理を示すフローである。
【図７】警備制御部が実行する停止指示処理を示すフローである。
【図８】警備制御部が実行する停止指示処理を示すフローである。
【図９】記録部が実行する記録処理を示すフローである。
【図１０】他の実施形態である警備システムにおける位置判定部が実行する判定処理を示すフローである。
【図１１】他の実施形態である警備システムにおける位置判定部が実行する判定処理を示すフローである。
【図１２】他の実施形態である警備システムにおける位置判定部が実行する判定処理を示すフローである。
【発明を実施するための形態】
【００２０】
Ａ．第１実施形態：
図１は、本実施形態における警備システム１０について示した説明図である。警備システム１０は、住居等の家屋における屋内の異常を検出して報知などの対処を行う、いわゆるホームセキュリティシステムである。警備システム１０は、警備装置１００と、リモコン２００とを備える。本実施形態では、警備システム１０は、警備装置１００を住居等の家屋における屋内に設置する態様である。他の実施形態では、警備システム１０は、事業所および倉庫などに設置されていてもよい。
【００２１】
警備装置１００は、住居における屋内に設置され、その屋内において異常が発生していないかどうか警備する装置である。本実施形態でいう異常には、侵入者による屋内への不法な侵入、火災およびガス漏れが含まれる。警備装置１００は、警備制御部１１０と、通信部１２０と、異常検知部１３０とを備える。
【００２２】
警備制御部１１０は、屋内における異常を検知する各要素の稼動を全体として制御する。本実施形態では、警備制御部１１０は、異常検知部１３０の稼動および停止を制御する。本実施形態では、警備制御部１１０が制御する各要素には、窓の開閉を検出する窓開閉センサ、窓への振動によって窓の破壊を検出する窓破壊センサ、火災を検出する火災センサおよびガス漏れを検知するガス漏れセンサなどが含まれる。警備制御部１１０は、位置判定部１１２と、記録部１１４とを備える。
【００２３】
位置判定部１１２は、警備装置１００とリモコン２００との通信に基づいて、リモコン２００が屋内および屋外のいずれにあるかを判定する。本実施形態では、位置判定部１１２は、リモコン２００から出力される信号の強さに基づいて、リモコン２００が屋内および屋外のいずれにあるかを判定する。本実施形態では、位置判定部１１２は、リモコン２００が実際にある位置に関わらず、リモコン２００から出力される信号の強さに基づいて、リモコン２００が屋内および屋外のいずれにあるかを判定する。
【００２４】
本実施形態では、屋内とは、警備装置１００が設置された住居の内側のことであり、屋外とは、警備装置１００が設置された住居における屋内の外側のことであり、その警備装置１００が設置された住居とは別の建物における屋内は、屋外に含まれる。他の実施形態では、警備装置１００が設置された住居における屋内とは、その住居が建てられた敷地内のことであり、屋外は、その敷地の外側のことであってもよい。
【００２５】
記録部１１４は、リモコン２００の状態を記録する。記録部１１４は、リモコン２００の位置が屋外であると現時点から第１の設定時間内に位置判定部１１２に判定されたことがない第１の状態と、リモコン２００の位置が屋外であると現時点から第１の設定時間内に位置判定部１１２に判定されたことがある第２の状態とのうちのいずれであるかを記録する。本実施形態では、第１の設定時間は、６時間である。他の実施形態では、６時間より長くてもよいし短くてもよい。
【００２６】
本実施形態では、記録部１１４は、位置判定部１１２がリモコン２００の位置を判定したときにリモコン２００の状態についての記録を更新する。また、本実施形態では、記録部１１４は、リモコン２００の状態が第２の状態であると最後に記録してから、６時間以内に位置判定部１１２による判定が行われなかった場合、リモコン２００の状態は第１の状態であると記録する。
【００２７】
本実施形態では、第２の状態であると記録部１１４に記録されているリモコン２００が稼動している異常検知部１３０を停止させるよう警備制御部１１０に指示した場合、記録部１１４は、リモコン２００の状態が第１の状態であると記録する。
【００２８】
通信部１２０は、警備装置１００がリモコン２００と通信するためのインタフェースである。本実施形態では、通信部１２０は、無線ＬＡＮを介して、リモコン２００と通信する。他の実施形態では、他の無線通信を用いてもよい。
【００２９】
異常検知部１３０は、ドアおよび窓の開閉センサにより屋内の異常を検知する。本実施形態では、異常検知部１３０は、人物が玄関などの入口から屋内に入った場合、設定時間を経過した後、その人物による屋内の滞在を異常として検知する。本実施形態では、設定時間は、ドアおよび窓の開閉から３分間である。他の実施形態では、設定時間は、ドアおよび窓の開閉から３分間より長くてもよいし、ドアおよび窓の開閉から３分間より短くてもよい。
【００３０】
リモコン２００は、警備装置１００と通信できるとともに警備装置１００に異常検知部１３０の稼動および停止を指示できる。本実施形態では、１台の警備装置１００に対して３台のリモコン２００が備えられている。他の実施形態では、１台の警備装置１００に対して３台より多いリモコン２００が備えられていてもよいし、３台より少ないリモコン２００が備えられていてもよい。リモコン２００は、制御部２１０と、通信部２２０と、入力部２３０と、状態表示部２４０と、振動検知部２５０と、警備状態表示部２６０とを備える。
【００３１】
制御部２１０は、リモコン２００を構成する各要素の稼動を全体として制御する。通信部２２０は、リモコン２００が警備装置１００と通信するためのインタフェースである。
【００３２】
入力部２３０は、押下可能に構成された問合ボタン部２３２と指示ボタン部２３４とを備える。本実施形態では、問合ボタン部２３２が押し下げられることによって、制御部２１０は、異常検知部１３０が稼動しているか停止しているかを警備装置１００へ問い合わせる信号を出力する。警備装置１００は、その信号を受信すると、異常検知部１３０が稼動しているか停止しているかを示す信号をリモコン２００へ出力する。本実施形態では、指示ボタン部２３４が押し下げられることによって、警備装置１００に異常検知部１３０の稼動および停止を指示することができる。
【００３３】
本実施形態では、入力部２３０において、問合ボタン部２３２と、指示ボタン部２３４とは、別のボタン部である。他の実施形態では、問合ボタン部２３２と、指示ボタン部２３４とは、同一のボタン部であってもよい。その場合、警備装置１００との通信内容に応じて、ボタン部の機能は切り換えられる態様である。
【００３４】
状態表示部２４０は、警備装置１００がリモコン２００へ出力する信号に基づいて、記録部１１４に記録されているリモコン２００の状態を表示する。本実施形態では、状態表示部２４０は、記録部１１４に記録されているリモコン２００の状態に基づいて発光するＬＥＤである。本実施形態では、状態表示部２４０は、記録部１１４に記録されているリモコン２００の状態が第１の状態である場合は黄色に、記録部１１４に記録されているリモコン２００の状態が第２の状態である場合は青色に発光する。
【００３５】
警備状態表示部２６０は、警備装置１００がリモコン２００へ出力する異常検知部１３０が稼動しているか停止しているかを示す信号に基づいて、異常検知部１３０の状態を表示する。本実施形態では、警備状態表示部２６０は、異常検知部１３０が稼動しているか停止しているかに基づいて発光するＬＥＤである。本実施形態では、警備状態表示部２６０は、異常検知部１３０が稼動している場合は緑色に、異常検知部１３０が停止している場合は赤色に発光する。
【００３６】
振動検知部２５０は、リモコン２００における振動を検知する。振動検知部２５０は、振動を検知した場合、制御部２１０を介して、振動を検知したことを示す振動検知信号を警備装置１００に出力する。本実施形態では、振動検知部２５０は、リモコン２００への振動が１５秒間継続したことによって、振動を検知したと判定する。他の実施形態では、振動検知部２５０は、リモコン２００への振動が１５秒間より短い時間継続したことによって、振動を検知したと判定してもよいし、リモコン２００への振動が１５秒間より長い時間継続したことによって、振動を検知したと判定してもよい。
【００３７】
また、振動検知部２５０は、継続した振動を検知しなくなった場合、制御部２１０を介して、継続した振動を検知しなくなったことを示す振動停止信号を警備装置１００に出力する。本実施形態では、「継続した振動を検知しなくなったこと」とは、振動を検知したと判定してから３０秒間続いた振動の検知が停止することである。他の実施形態では、「継続した振動を検知しなくなったこと」とは、振動を検知したと判定してから３０秒間より長い時間続いた振動の検知が停止することであってもよいし、振動を検知したと判定してから３０秒間より短い時間続いた振動の検知が停止することであってもよい。
【００３８】
本実施形態では、振動検知信号の閾値（以下、閾値１とする。）の大きさは以下のように設定されている。すなわち、警備装置１００が受信した振動検知信号が屋内から出力されたものである場合に超えられる閾値であって、かつ、振動検知信号が屋外から出力されたものである場合に超えられない閾値を、閾値１として設定されている。
【００３９】
本実施形態では、振動停止信号の閾値（以下、閾値２とする。）の大きさは以下のように設定されている。すなわち、警備装置１００が受信した振動停止信号が屋内から出力されたものである場合に超えられる閾値であって、かつ、振動停止信号が屋外から出力されたものである場合に超えられない閾値を、閾値２として設定されている。
【００４０】
本実施形態では、閾値１および閾値２は、警備システム１０の初期設定においてあらかじめ設定される固定値である。
【００４１】
このため、振動検知信号があらかじめ設定された閾値１を超えたかどうか、および、振動停止信号があらかじめ設定された閾値２を超えたかどうか、に基づいて、位置判定部１１２は、リモコン２００が屋内および屋外のいずれの位置にあるかを判定できる。
【００４２】
本実施形態では、第１の状態であると記録部１１４に記録されているリモコン２００が異常検知部１３０の稼動を警備装置１００に指示してからあらかじめ設定された設定時間を経過している場合、そのリモコン２００からの指示に基づいて、警備制御部１１０は、稼動している異常検知部１３０を停止させる処理を行わない。また、本実施形態では、第１の状態であると記録部１１４に記録されているリモコン２００が異常検知部１３０の稼動を警備装置１００に指示してからあらかじめ設定された設定時間を経過していない場合、そのリモコン２００からの指示に基づいて、警備制御部１１０は、稼動している異常検知部１３０を停止させる処理を行う。このため、侵入者が屋内に残されたリモコン２００を操作して異常検知部１３０の停止を指示することを防止できる。本実施形態では、設定時間は、５分間である。他の実施形態では、設定時間は、５分間より長くてもよいし、５分間より短くてもよい。
【００４３】
本実施形態では、第２の状態であると記録部１１４に記録されているリモコン２００からの指示に基づいて、警備制御部１１０は、稼動している異常検知部１３０を停止させる処理を行う。
【００４４】
本実施形態では、第１の状態であると記録部１１４に記録されているリモコン２００からの指示に基づいて、警備制御部１１０は、停止している異常検知部１３０を稼動させる処理を行う。また、本実施形態では、第２の状態であると記録部１１４に記録されているリモコン２００からの指示に基づいて、警備制御部１１０は、停止している異常検知部１３０を稼動させる処理を行う。
【００４５】
本実施形態では、第２の状態であると記録部１１４に記録されているリモコン２００における振動検知部２５０が振動停止信号を出力し、リモコン２００が受信した振動停止信号の強さが閾値２を超えているとともに異常検知部１３０が稼動している場合、記録部１１４は、リモコン２００の状態が第２の状態であると記録する。
【００４６】
本実施形態では、第２の状態であると記録部１１４に記録されているリモコン２００における振動検知部２５０が振動停止信号を出力し、リモコン２００が受信した振動停止信号の強さが閾値２を超えているとともに異常検知部１３０が停止している場合、記録部１１４は、リモコン２００の状態が第１の状態であると記録する。
【００４７】
図２は、位置判定部１１２が実行する判定処理を示すフローである。図２におけるフローは、警備制御部１１０が振動検知信号を受信した際に実行される。
【００４８】
警備制御部１１０は、リモコン２００から出力された振動検知信号を受信する（ステップＳ１００）。振動検知信号を受信した後（ステップＳ１００）、位置判定部１１２は、受信した振動検知信号が閾値１を超えているか否かに基づいて、リモコン２００が屋内および屋外のいずれにあるかを判定する（ステップＳ１１０）。
【００４９】
受信した振動検知信号が閾値１を超えていない場合（ステップＳ１１０：「ＮＯ」）、位置判定部１１２は、リモコン２００の位置が屋外であると判定する（ステップＳ１２０）。位置判定部１１２がリモコン２００の位置が屋外であると判定した後（ステップＳ１２０）、記録部１１４は、リモコン２００の状態が第２の状態であると記録する（ステップＳ１５０）。記録部１１４がリモコン２００の状態が第２の状態であると記録した後（ステップＳ１５０）、警備制御部１１０は、図２の判定処理を終了する。
【００５０】
受信した振動検知信号が閾値１を超えている場合（ステップＳ１１０：「ＹＥＳ」）、
位置判定部１１２は、リモコン２００の位置が屋内であると判定する（ステップＳ１３０）。位置判定部１１２がリモコン２００の位置が屋内であると判定した後（ステップＳ１３０）、記録部１１４は、リモコン２００の位置が屋外であると現時点から６時間以内に位置判定部１１２に判定されたことがあるか否かに基づいて、リモコン２００が第１の状態と第２の状態とのうちのいずれであるかを記録する（ステップＳ１４０）。
【００５１】
リモコン２００の位置が屋外であると現時点から６時間以内に位置判定部１１２に判定されたことがある場合（ステップＳ１４０：「ＮＯ」）、記録部１１４は、リモコン２００が第２の状態であると記録する（ステップＳ１５０）。記録部１１４がリモコン２００の状態が第２の状態であると記録した後（ステップＳ１５０）、警備制御部１１０は、図２の判定処理を終了する。
【００５２】
リモコン２００の位置が屋外であると現時点から６時間以内に位置判定部１１２に判定されたことがない場合（ステップＳ１４０：「ＹＥＳ」）、記録部１１４は、リモコン２００が第１の状態であると記録する（ステップＳ１６０）。記録部１１４がリモコン２００の状態が第１の状態であると記録した後（ステップＳ１６０）、警備制御部１１０は、図２の判定処理を終了する。
【００５３】
このため、振動検知部２５０が振動を検知することによってリモコン２００から警備制御部１１０へ出力された振動検知信号の強さに基づいて、位置判定部１１２は、リモコン２００が屋内および屋外のいずれの位置にあるかを判定できる。
【００５４】
また、振動をトリガーに信号を出力させることによって、信号の無駄打ちを防止できることから、信号の出力による電源の消耗を抑制できる。振動は、指示部が移動したときに発生し、指示部が移動していないときには発生しないことから、振動が発生していないときは、指示部が最後に移動したときに出力された信号に基づいて位置判定部が行った判定を維持していればよい。このため、指示部が移動したときのみ信号を出力するため、信号の出力による電源の消耗を抑制できる。
【００５５】
また、振動検知信号の強さが閾値１を超えているか否かに基づいて位置判定部が指示部の位置を判定することによって、指示部の位置を精度良く判定できる。例えば、家屋における壁を境界として、屋内においてのみ制御部と位置判定部との間における通信が成立するとともにその通信が成立したことに基づいて指示部の位置は屋内であると判定する場合、次のような問題が生じうる。すなわち、指示部は屋内において壁の近傍に存在し、かつ、制御部と指示部との間における通信が人などの障害物に妨害されることによって、位置判定部は誤って指示部の位置が屋外であると判定してしまうことがある。一方、それを考慮して、屋内よりも壁の外側まで通信が成立するとした場合には、壁の外側まで屋内であると判定されてしまうことがある。これに対して、屋内においてのみならず屋外においても制御部と位置判定部との間における通信が成立するとともにその通信が閾値１を超えているか否かに基づいて指示部の位置が判定される場合、指示部が壁の外側にあるときは、制御部からの距離が増すとともに制御部と指示部との間を家屋の壁や窓が隔てていることから通信は弱まりやすい。このため、通信が成立したとしても、閾値１を超えていなければ、指示部の位置は屋内であると判定されない。よって、屋内においてのみ成立する通信に基づいた判定に比べ、指示部の位置を精度良く判定できる。
【００５６】
図３は、位置判定部１１２が実行する判定処理を示すフローである。図３におけるフローは、リモコン２００が屋内から屋外に移動することによって振動検知部２５０が振動を検知した際に実行される。例えば、警備装置１００が設置された家屋に住む居住者が、リモコン２００を携帯して外出する際に実行される。尚、図３におけるフローは、リモコン２００の位置が屋外であると現時点から６時間以内に判定されたことがないリモコン２００において、実行されたものとする。
【００５７】
第１の状態であると記録部１１４に記録されているリモコン２００における振動検知部２５０は、屋内において振動を検知すると、制御部２１０を介して、振動検知信号を警備装置１００に出力する（ステップＳ１６５）。警備装置１００が受信した振動検知信号の強さが閾値１を超えているため、位置判定部１１２はリモコン２００が屋内にあると判定するとともに、記録部１１４はリモコン２００が第１の状態であると記録する（ステップＳ１７０）。その後、警備装置１００はリモコン２００へ応答信号を出力する（ステップＳ１７５）。
【００５８】
その後、リモコン２００における振動検知部２５０は、屋外において振動を検知すると、制御部２１０を介して、振動検知信号を警備装置１００に出力する（ステップＳ１８０）。警備装置１００が受信した振動検知信号の強さが閾値１を超えていないため、位置判定部１１２はリモコン２００が屋外にあると判定するとともに、記録部１１４はリモコン２００が第２の状態であると記録する（ステップＳ１８５）。その後、警備装置１００はリモコン２００へ応答信号を出力する（ステップＳ１９０）。
【００５９】
図４は、位置判定部１１２が実行する判定処理を示すフローである。図４におけるフローは、警備制御部１１０が振動停止信号を受信した際に実行される。
【００６０】
警備制御部１１０は、リモコン２００から出力された振動停止信号を受信する（ステップＳ２００）。振動停止信号を受信した後（ステップＳ２００）、位置判定部１１２は、受信した振動停止信号が閾値２を超えているか否かに基づいて、リモコン２００が屋内および屋外のいずれにあるかを判定する（ステップＳ２１０）。受信した振動停止信号が閾値２を超えていない場合（ステップＳ２１０：「ＮＯ」）、位置判定部１１２は、リモコン２００の位置が屋外であると判定する（ステップＳ２２０）。位置判定部１１２がリモコン２００の位置が屋外であると判定した後（ステップＳ２２０）、記録部１１４は、リモコン２００の状態が第２の状態であると記録する（ステップＳ２５０）。記録部１１４がリモコン２００の状態が第２の状態であると記録した後（ステップＳ２５０）、警備制御部１１０は、図４の判定処理を終了する。
【００６１】
受信した振動停止信号が閾値２を超えている場合（ステップＳ２１０：「ＹＥＳ」）、位置判定部１１２は、リモコン２００の位置が屋内であると判定する（ステップＳ２３０）。位置判定部１１２がリモコン２００の位置が屋内であると判定した後（ステップＳ２３０）、記録部１１４は、リモコン２００の位置が屋外であると現時点から６時間以内に位置判定部１１２に判定されたことがあるか否かに基づいて、リモコン２００が第１の状態と第２の状態とのうちのいずれであるかを記録する（ステップＳ２４０）。
【００６２】
リモコン２００の位置が屋外であると現時点から６時間以内に位置判定部１１２に判定されたことがない場合（ステップＳ２４０：「ＹＥＳ」）、記録部１１４は、リモコン２００が第１の状態であると記録する（ステップＳ２６０）。記録部１１４がリモコン２００の状態が第１の状態であると記録した後（ステップＳ２６０）、警備制御部１１０は、図４の判定処理を終了する。
【００６３】
リモコン２００の位置が屋外であると現時点から６時間以内に位置判定部１１２に判定されたことがある場合（ステップＳ２４０：「ＮＯ」）、記録部１１４は、異常検知部１３０が停止しているか否かに基づいて、リモコン２００が第１の状態と第２の状態とのうちのいずれであるかを記録する（ステップＳ２４５）。
【００６４】
異常検知部１３０が停止していない場合（ステップＳ２４５：「ＮＯ」）、記録部１１４は、リモコン２００が第２の状態であると記録する（ステップＳ２５０）。記録部１１４がリモコン２００の状態が第２の状態であると記録した後（ステップＳ２５０）、警備制御部１１０は、図４の判定処理を終了する。
【００６５】
異常検知部１３０が停止している場合（ステップＳ２４５：「ＹＥＳ」）、記録部１１４は、リモコン２００が第１の状態であると記録する（ステップＳ２６０）。記録部１１４がリモコン２００の状態が第１の状態であると記録した後（ステップＳ２６０）、警備制御部１１０は、図４の判定処理を終了する。
【００６６】
このため、振動検知部２５０が継続した振動を検知しなくなったことによってリモコン２００から警備制御部１１０へ出力された振動停止信号の強さに基づいて、位置判定部１１２は、リモコン２００が屋内および屋外のいずれの位置にあるかを判定できる。
【００６７】
また、第２の状態であると記録部１１４に記録されているリモコン２００を携帯して居住者が帰宅したときに異常検知部１３０が停止している場合、記録部１１４は、リモコン２００の状態を第１の状態であると記録することができる。その結果、リモコン２００が第２の状態であると記録されたまま屋内に放置されることを防止できる。よって、侵入者が屋内に残された指示部を操作して異常検知部の停止を指示することを防止できる。
【００６８】
図５は、位置判定部１１２が判定する判定処理を示すフローである。図５におけるフローは、リモコン２００への継続した振動が屋外において検知されなくなった際に実行される。例えば、警備装置１００が設置された家屋に住む居住者が、リモコン２００を携帯して外出し、信号待ちで歩行を止めた際に実行される。尚、図５におけるフローは、リモコン２００の位置が屋外であると現時点から６時間以内に判定されたことがあるリモコン２００において、実行されたものとする。
【００６９】
第２の状態であると記録部１１４に記録されているリモコン２００における振動検知部２５０は、継続した振動が検知されなくなると、制御部２１０を介して、振動停止信号を警備制御部１１０に出力する（ステップＳ２６５）。警備装置１００が受信した振動停止信号の強さが閾値２を超えていないため、位置判定部１１２はリモコン２００が屋外にあると判定するとともに、記録部１１４はリモコン２００が第２の状態であると記録する（ステップＳ２７０）。その後、警備装置１００はリモコン２００へ応答信号を出力する（ステップＳ２７５）。
【００７０】
図６は、位置判定部１１２が判定する判定処理を示すフローである。図６におけるフローは、リモコン２００への継続した振動が屋内において検知されなくなった際に実行される。例えば、警備装置１００が設置された家屋に住む居住者が、リモコン２００を携帯して外出していた先から帰宅した際に実行される。尚、図６におけるフローは、リモコン２００の位置が屋外であると現時点から６時間以内に判定されたことがあるリモコン２００において、実行されたものとする。
【００７１】
第２の状態であると記録部１１４に記録されているリモコン２００における振動検知部２５０は、継続した振動が検知されなくなると、制御部２１０を介して、振動停止信号を警備制御部１１０に出力する（ステップＳ２８０）。警備装置１００が受信した振動停止信号の強さが閾値２を超えているため、位置判定部１１２はリモコン２００が屋内にあると判定するとともに、記録部１１４は、異常検知部１３０が稼動しているか停止しているかに基づいて、リモコン２００が第１の状態と第２の状態とのうちいずれであるか記録する（ステップＳ２８５）（図４のステップＳ２４５と対応）。その後、警備装置１００はリモコン２００へ応答信号を出力する（ステップＳ２９０）。
【００７２】
図７は、警備制御部１１０が実行する停止指示処理を示すフローである。図７におけるフローは、警備制御部１１０がリモコン２００から異常検知部１３０を停止する指示を示す停止指示信号を受信した際に実行される。尚、図７におけるフローは、リモコン２００が停止している異常検知部１３０の稼動を警備制御部１１０に指示してから５分間経過したのちに実行されたものとする。
【００７３】
警備制御部１１０は、リモコン２００から停止指示信号を受信する（ステップＳ３００）。停止指示信号を受信した後（ステップＳ３００）、警備制御部１１０は、停止指示信号を出力したリモコン２００の状態が記録部１１４に第１の状態として記録されているか第２の状態として記録されているかに基づいて、停止指示信号を出力したリモコン２００からの停止指示を受け付けるか否か決定する（ステップＳ３１０）。
【００７４】
停止指示信号を出力したリモコン２００の状態が第２の状態であると記録部１１４に記録されている場合（ステップＳ３１０：「第２の状態」）、警備制御部１１０は、停止指示信号を出力したリモコン２００からの停止指示を受け付ける（ステップＳ３２０）。停止指示信号を出力したリモコン２００からの停止指示を受け付けた後（ステップＳ３２０）、警備制御部１１０は、図７の停止指示処理を終了する。
【００７５】
停止指示信号を出力したリモコン２００の状態が第１の状態であると記録部１１４に記録されている場合（ステップＳ３１０：「第１の状態」）、警備制御部１１０は、停止指示信号を出力したリモコン２００からの停止指示を受け付けない（ステップＳ３３０）。停止指示信号を出力したリモコン２００からの停止指示を受け付けなかった後（ステップＳ３３０）、警備制御部１１０は、図７の停止指示処理を終了する。
【００７６】
このため、リモコン２００が停止している異常検知部１３０の稼動を警備制御部１１０に指示してから５分間経過したのちに、第１の状態であると記録部１１４に記録されているリモコン２００を用いて、異常検知部１３０の停止を指示することができない。その結果、侵入者が屋内に残されたリモコン２００を操作して異常検知部１３０の停止を指示することを防止できる。また、第２の状態であると記録部１１４に記録されているリモコン２００を用いて、異常検知部１３０の停止を指示できる。
【００７７】
図８は、警備制御部１１０が実行する停止指示処理を示すフローである。図８におけるフローは、警備制御部１１０が、記録部１１４に第１の状態であると記録されているリモコン２００から異常検知部１３０を停止する指示を示す停止指示信号を受信した際に実行される。
【００７８】
警備制御部１１０は、記録部１１４に第１の状態であると記録されているリモコン２００から停止指示信号を受信する（ステップＳ４００）。停止指示信号を受信した後（ステップＳ４００）、警備制御部１１０は、停止指示信号を出力してきたリモコン２００による現時点から以前の指示により異常検知部１３０を最後に稼動させてから５分間経過しているか否かに基づいて、停止指示信号を出力したリモコン２００からの停止指示を受け付けるか否か決定する（ステップＳ４１０）。
【００７９】
異常検知部１３０を最後に稼動させてから５分間経過していない場合（ステップＳ４１０：「ＮＯ」）、警備制御部１１０は、停止指示信号を出力したリモコン２００からの停止指示を受け付ける（ステップＳ４２０）。停止指示信号を出力したリモコン２００からの停止指示を受け付けた後（ステップＳ４２０）、警備制御部１１０は、図８の停止指示処理を終了する。
【００８０】
異常検知部１３０を最後に稼動させてから５分間経過している場合（ステップＳ４１０：「ＹＥＳ」）、警備制御部１１０は、停止指示信号を出力したリモコン２００からの停止指示を受け付けない（ステップＳ４３０）。停止指示信号を出力したリモコン２００からの停止指示を受け付けなかった後（ステップＳ４３０）、警備制御部１１０は、図８の停止指示処理を終了する。
【００８１】
このため、記録部１１４に第１の状態であると記録されていて、かつ、停止指示信号を出力してきたリモコン２００による現時点から以前の指示により異常検知部１３０を最後に稼動させてから５分間経過する前であれば、そのリモコン２００から出力された停止指示信号は受け付けられる。例えば、警備システム１０が設置された家屋に住む居住者が外出する際に、リモコン２００を用いて異常検知部１３０の稼動を一旦指示したものの、忘れ物を取りに行く等の事情によりすぐに異常検知部１３０を停止したい場合に、リモコン２００を用いて異常検知部１３０の停止を指示できる。
【００８２】
図９は、記録部１１４が実行する記録処理を示すフローである。図９におけるフローは、警備制御部１１０が、記録部１１４に第２の状態であると記録されているリモコン２００から異常検知部１３０を停止する指示を示す停止指示信号を受信した際に実行される。
【００８３】
警備制御部１１０は、記録部１１４に第２の状態であると記録されているリモコン２００から停止指示信号を受信する（ステップＳ５００）。停止指示信号を受信した後（ステップＳ５００）、警備制御部１１０は、停止指示信号を出力したリモコン２００からの停止指示を受け付ける（ステップＳ５１０）。
【００８４】
停止指示信号を出力したリモコン２００からの停止指示を受け付けた後（ステップＳ５１０）、記録部１１４は、リモコン２００が第１の状態であると記録する（ステップＳ５２０）。記録部１１４がリモコン２００の状態が第１の状態であると記録した後（ステップＳ５２０）、記録部１１４は、図９の記録処理を終了する。
【００８５】
このため、記録部１１４に第２の状態であると記録されているリモコン２００は、稼動している異常検知部１３０を停止させるよう警備制御部１１０に指示したのち第１の状態であると記録されるため、リモコン２００が第２の状態であると記録されたまま屋内に放置されることを防止できる。
【００８６】
以上説明した実施形態によれば、リモコン２００の位置が屋外であると現時点から６時間内に位置判定部１１２に判定されたことがないリモコン２００を用いて、異常検知部１３０の停止を指示することができない。そのため、侵入者が、屋外に持ち出されず屋内に残されたリモコン２００を操作して異常検知部１３０の停止を指示することを防止できる。よって、侵入者による屋内の異常を適切に検知できる。また、リモコン２００の位置が屋外であると現時点から６時間内に位置判定部１１２に判定されたことがあるリモコン２００を用いて、異常検知部１３０の停止を指示できる。そのため、警備システム１０が設置された家屋に住む居住者がリモコン２００を携帯して外出先から帰宅した際には、リモコン２００を操作して異常検知部１３０の停止を指示することができる。よって、侵入者対策をするとともに居住者の利便性を維持できる。
【００８７】
Ｂ．第２実施形態：
図１０は、他の実施形態である警備システム１０ａにおける位置判定部１１２が実行する判定処理を示すフローである。警備システム１０ａは、上述の実施形態における警備システム１０の構成と同様であるが、以下の点で、警備システム１０と異なる。
【００８８】
すなわち、振動検知信号を出力したリモコン２００が屋内および屋外のいずれであるかを位置判定部１１２が判定する際に用いる基準としての閾値を２つ設けている（以下、閾値１および閾値３とする。）。また、振動停止信号を出力したリモコン２００が屋内および屋外のいずれであるかを位置判定部１１２が判定する際に用いる基準としての閾値を２つ設けている（以下、閾値２および閾値４とする。）。
【００８９】
振動検知信号の閾値１および閾値３の大きさは以下のように設定されている。すなわち、警備装置１００が受信した振動検知信号が屋内から出力されたものである場合に超えられる閾値であって、かつ、振動検知信号が屋外から出力されたものである場合に超えられない閾値を、閾値１として設定されている（警備システム１０と同様）。警備装置１００が受信した振動検知信号が屋外から出力されたものである場合に超えられる閾値を、閾値３として設定されている。
【００９０】
振動停止信号の閾値２および閾値４の大きさは以下のように設定されている。すなわち、警備装置１００が受信した振動停止信号が屋内から出力されたものである場合に超えられる閾値であって、かつ、振動停止信号が屋外から出力されたものである場合に超えられない閾値を、閾値２として設定されている（警備システム１０と同様）。警備装置１００が受信した振動停止信号が屋外から出力されたものである場合に超えられる閾値を、閾値４として設定されている。
【００９１】
このため、振動検知信号があらかじめ設定された閾値１および閾値３を超えているかどうか、および、振動停止信号があらかじめ設定された閾値２および閾値４を超えているかどうか、に基づいて、位置判定部１１２は、リモコン２００が屋内および屋外のいずれの位置にあるかを判定できる。
【００９２】
よって、警備システム１０ａは、以下の処理を行う。
【００９３】
すなわち、警備制御部１１０が受信した振動検知信号の強さが閾値１を超えている場合、位置判定部１１２はリモコン２００の位置が屋内であると判定する。警備制御部１１０が受信した振動検知信号の強さが閾値１を超えていないとともに閾値３を超えている場合、位置判定部１１２はリモコン２００の位置が屋外であると判定する。警備制御部１１０が受信した振動検知信号の強さが閾値３を超えていない場合、位置判定部１１２はリモコン２００の位置を判定しない。
【００９４】
また、警備制御部１１０が受信した振動停止信号の強さが閾値２を超えている場合、位置判定部１１２はリモコン２００の位置が屋内であると判定する。警備制御部１１０が受信した振動停止信号の強さが閾値２を超えていないとともに閾値４を超えている場合、位置判定部１１２はリモコン２００の位置が屋外であると判定する。警備制御部１１０が受信した振動停止信号の強さが閾値４を超えていない場合、位置判定部１１２はリモコン２００の位置を判定しない。
【００９５】
また、警備システム１０ａのリモコン２００における状態表示部２４０は、振動検知信号の強さが閾値３を超えていないこと、または、振動停止信号の強さが閾値４を超えていないことによって、位置判定部１１２がリモコン２００の位置を判定しない場合、警備制御部１１０からの応答信号に基づいて紫色に発光する。この発光によって、リモコン２００は、リモコン２００に異常が発生したこと、もしくは、リモコン２００が圏外にあることをリモコン２００の携帯者へ報知する。
【００９６】
リモコン２００における異常とは、リモコン２００の故障およびリモコン２００における電源の消耗（もしくは、電源が切れること）などが挙げられる。リモコン２００が圏外にあることとは、リモコン２００が、振動検知信号が閾値３を超えられない位置および振動停止信号が閾値４を超えられない位置のうちの少なくとも一方の位置にあることである。
【００９７】
図１０におけるフローは、警備制御部１１０が振動検知信号を受信した際に実行される。
【００９８】
警備制御部１１０は、リモコン２００から出力された振動検知信号を受信する（ステップＳ６００）。振動検知信号を受信した後（ステップＳ６００）、位置判定部１１２は、受信した振動検知信号が閾値１を超えているか否かに基づいて、リモコン２００が屋内および屋外のいずれにあるかを判定する（ステップＳ６１０）。
【００９９】
受信した振動検知信号が閾値１を超えている場合（ステップＳ６１０：「ＹＥＳ」）、
位置判定部１１２は、第１実施形態の警備システム１０と同様に、ステップＳ１３０以降の処理を行う。
【０１００】
受信した振動検知信号が閾値１を超えていない場合（ステップＳ６１０：「ＮＯ」）、位置判定部１１２は、受信した振動検知信号が閾値３を超えているか否かに基づいて、リモコン２００が屋内および屋外のいずれにあるかを判定する（ステップＳ６２０）。
【０１０１】
受信した振動検知信号が閾値３を超えている場合（ステップＳ６２０：「ＹＥＳ」）、
位置判定部１１２は、第１実施形態の警備システム１０と同様に、ステップＳ１２０以降の処理を行う。
【０１０２】
受信した振動検知信号が閾値３を超えていない場合（ステップＳ６２０：「ＮＯ」）、位置判定部１１２は、リモコン２００の位置を判定しない（ステップＳ６３０）。このとき、警備制御部１１０からの応答信号に基づいて、リモコン２００における状態表示部２４０は、紫色に発光することによって、リモコン２００における異常をリモコン２００の携帯者へ報知する。リモコン２００の位置を判定しなかった後（ステップＳ６３０）、警備制御部１１０は、図１０の判定処理を終了する。
【０１０３】
このため、振動検知部２５０が振動を検知することによってリモコン２００から制御部へ出力された振動検知信号の強さに基づいて、位置判定部１１２は、リモコン２００が屋内および屋外のいずれの位置にあるかを判定できる。また、閾値３を設けていることによって、位置判定部１１２は、リモコン２００が屋内および屋外のいずれの位置にあるかをより精度良く判定できる。例えば、警備システム１０ａが設置された家屋に住む居住者がリモコン２００を携帯して外出する際に、家屋から離れることに伴って、振動検知信号の強さは通常、閾値１を下回ってから、閾値１を下回るとともに閾値３を上回っている状態へ、といったように段階的に弱くなっていく。しかし、リモコン２００の故障およびリモコン２００における電源の消耗（もしくは、電源が切れること）等によって、振動検知信号の強さが、閾値１を上回っている状態から、閾値１を下回るとともに閾値３を上回っている状態を経ることなく、閾値３を下回る、といったように断続的に弱くなった場合、位置判定部１１２はリモコン２００の位置が屋外であると判定せず、リモコン２００の位置を判定しない。このため、位置判定部１１２は、リモコン２００が屋内および屋外のいずれの位置にあるかをより精度良く判定できる。
【０１０４】
図１１は、他の実施形態である警備システム１０ａにおける位置判定部１１２が実行する判定処理を示すフローである。図１１におけるフローは、警備制御部１１０が振動停止信号を受信した際に実行される。
【０１０５】
警備制御部１１０は、リモコン２００から出力された振動停止信号を受信する（ステップＳ７００）。振動検知信号を受信した後（ステップＳ７００）、位置判定部１１２は、受信した振動停止信号が閾値２を超えているか否かに基づいて、リモコン２００が屋内および屋外のいずれにあるかを判定する（ステップＳ７１０）。
【０１０６】
受信した振動停止信号が閾値２を超えている場合（ステップＳ７１０：「ＹＥＳ」）、
位置判定部１１２は、第１実施形態の警備システム１０と同様に、ステップＳ２３０以降の処理を行う。
【０１０７】
受信した振動停止信号が閾値２を超えていない場合（ステップＳ７１０：「ＮＯ」）、位置判定部１１２は、受信した振動停止信号が閾値４を超えているか否かに基づいて、リモコン２００が屋内および屋外のいずれにあるかを判定する（ステップＳ７２０）。
【０１０８】
受信した振動停止信号が閾値４を超えている場合（ステップＳ７２０：「ＹＥＳ」）、
位置判定部１１２は、第１実施形態の警備システム１０と同様に、ステップＳ２２０以降の処理を行う。
【０１０９】
受信した振動停止信号が閾値４を超えていない場合（ステップＳ７２０：「ＮＯ」）、位置判定部１１２は、リモコン２００の位置を判定しない（ステップＳ７３０）。このとき、警備制御部１１０からの応答信号に基づいて、リモコン２００における状態表示部２４０は、紫色に発光することによって、リモコン２００における異常をリモコン２００の携帯者へ報知する。リモコン２００の位置を判定しなかった後（ステップＳ７３０）、警備制御部１１０は、図１１の判定処理を終了する。
【０１１０】
このため、振動検知部２５０が継続した振動を検知しなくなったことによって指示部から制御部へ出力された振動停止信号の強さに基づいて、位置判定部１１２は、リモコン２００が屋内および屋外のいずれの位置にあるかを判定できる。また、閾値４を設けていることによって、位置判定部１１２は、リモコン２００が屋内および屋外のいずれの位置にあるかをより精度良く判定できる。例えば、警備システム１０ａが設置された家屋に住む居住者がリモコン２００を携帯して外出する際に、家屋から離れることに伴って、振動停止信号の強さは通常、閾値２を下回ってから、閾値２を下回るとともに閾値４を上回っている状態へ、といったように段階的に弱くなっていく。しかし、リモコン２００の故障およびリモコン２００における電源の消耗（もしくは、切れること）等によって、振動停止信号の強さが、閾値２を上回っている状態から、閾値２を下回るとともに閾値４を上回っている状態を経ることなく、閾値４を下回る、といったように断続的に弱くなった場合、位置判定部１１２はリモコン２００の位置が屋外であると判定せず、リモコン２００の位置を判定しない。このため、位置判定部１１２は、リモコン２００が屋内および屋外のいずれの位置にあるかをより精度良く判定できる。
【０１１１】
Ｃ．第３実施形態：
図１２は、他の実施形態である警備システム１０ｂにおける位置判定部１１２が実行する判定処理を示すフローである。警備システム１０ｂは、振動検知部２５０を備えていない点を除いて上述の実施形態における警備システム１０の構成と同様であるが、以下の点で、警備システム１０と異なる。
【０１１２】
すなわち、警備装置１００とリモコン２００とは、継続的な通信を行っており、その継続的な通信が途切れた場合、位置判定部１１２は、通信が途切れたリモコン２００の位置は屋外であると判定する。
【０１１３】
図１２におけるフローは、警備制御部１１０が定期的に実行する。
【０１１４】
位置判定部１１２は、警備制御部１１０とリモコン２００との通信が継続しているか否かに基づいて、リモコン２００が屋内および屋外のいずれにあるかを判定する（ステップＳ８００）。
【０１１５】
警備制御部１１０とリモコン２００との通信が継続している場合（ステップＳ８００：「ＹＥＳ」）、位置判定部１１２は、第１実施形態の警備システム１０と同様に、ステップＳ１３０以降の処理を行う。
【０１１６】
警備制御部１１０とリモコン２００との通信が途切れた場合（ステップＳ８００：「ＮＯ」）、位置判定部１１２は、第１実施形態の警備システム１０と同様に、ステップＳ１２０以降の処理を行う。
【０１１７】
このため、警備制御部１１０とリモコン２００との継続的な通信が途切れたことに基づいて、位置判定部１１２は、リモコン２００が屋外にあると判定できる。
【０１１８】
Ｄ．第４実施形態：
他の実施形態である警備システム１０ｃは、上述の実施形態における警備システム１０の構成と同様であるが、以下の点で、警備システム１０と異なる。
【０１１９】
すなわち、警備システム１０ｃでは、振動検知信号の閾値（以下、閾値５とする。）の大きさは以下のように設定されている。すなわち、警備装置１００が最後に受信した振動検知信号の強さのａ倍（０＜a＜１）の値を、閾値５として設定されている。また、警備システム１０ｃでは、振動停止信号の閾値（以下、閾値６とする。）の大きさは以下のように設定されている。すなわち、警備装置１００が最後に受信した振動停止信号の強さのｂ倍（０＜ｂ＜１）の値を、閾値６として設定されている。
【０１２０】
警備システム１０ｃでは、振動検知信号が閾値５を超えたかどうか、および、振動停止信号が閾値６を超えたかどうか、に基づいて、位置判定部１１２は、リモコン２００が屋内および屋外のいずれの位置にあるかを判定できる。このため、リモコン２００における電源の消耗に伴って振動検知信号および振動停止信号が弱くなった場合、弱くなった振動検知信号および振動停止信号に基づいて、位置判定部１１２は、リモコン２００が屋内および屋外のいずれの位置にあるかを判定できる。
【０１２１】
Ｅ．変形例：
上記実施形態の警備システム１０では、受信した振動検知信号が閾値１を超えている場合、位置判定部１１２は、リモコン２００の位置が屋内であると判定し、受信した振動検知信号が閾値１を超えていない（閾値１以下である）場合、位置判定部１１２は、リモコン２００の位置が屋外であると判定していたが、本発明はこれに限られない。例えば、受信した振動検知信号が閾値１以上である場合、位置判定部１１２は、リモコン２００の位置が屋内であると判定し、受信した振動検知信号が閾値１未満であった場合、位置判定部１１２は、リモコン２００の位置が屋外であると判定してもよい。
【０１２２】
また、上記実施形態の警備システム１０では、第１の状態であるリモコン２００が異常検知部１３０の稼動を警備装置１００に指示してから５分間経過している場合、その第１の状態であるリモコンからの指示に基づいて、警備制御部１１０は、稼動している異常検知部１３０を停止させる処理を行わないとしていたが、本発明はこれに限られない。例えば、第１の状態であるリモコン２００への暗証番号が入力されていない場合、その第１の状態であるリモコンからの指示に基づいて、警備制御部１１０は、稼動している異常検知部１３０を停止させる処理を行わないとしてもよい。
【０１２３】
また、上記実施形態の警備システム１０では、記録部１１４に第２の状態であると記録されているリモコン２００は、稼動している異常検知部１３０を停止させるよう警備制御部１１０に指示したのち第１の状態であると記録されるとしていたが、本発明はこれに限られない。例えば、記録部１１４に第２の状態であると記録されているリモコン２００は、稼動している異常検知部１３０を停止させるよう警備制御部１１０に指示したのち第２の状態のままであってもよい。
【０１２４】
また、上記実施形態の警備システム１０ｂでは、警備装置１００とリモコン２００とは、継続的な通信を行っており、その継続的な通信が途切れた場合、位置判定部１１２は、通信が途切れたリモコン２００の位置は屋外であると判定するとしていたが、本発明はこれに限られない。例えば、警備装置１００とリモコン２００とは、継続的な通信を行っており、その継続的な通信が閾値を下回った場合、位置判定部１１２は、リモコン２００の位置は屋外であると判定してもよい。
【０１２５】
また、上記実施形態の警備システム１０では、第１の状態であると記録部１１４に記録されているリモコン２００が異常検知部１３０の稼動を警備装置１００に指示してからあらかじめ設定された設定時間を経過していない場合、そのリモコン２００からの指示に基づいて、警備制御部１１０は、稼動している異常検知部１３０を停止させる処理を行うとしていたが、本発明はこれに限られない。例えば、第１の状態であると記録部１１４に記録されているリモコン２００が異常検知部１３０の稼動を警備装置１００に指示してからあらかじめ設定された設定時間を経過していない場合であっても、そのリモコン２００からの指示に基づいて、警備制御部１１０は、稼動している異常検知部１３０を停止させる処理を行わないとしてもよい。
【０１２６】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【０１２７】
１０…警備システム
１０ａ…警備システム
１０ｂ…警備システム
１０ｃ…警備システム
１００…警備装置
１１０…警備制御部
１１２…位置判定部
１１４…記録部
１２０…通信部
１３０…異常検知部
２００…リモコン
２１０…制御部
２２０…通信部
２３０…入力部
２３２…問合ボタン部
２３４…指示ボタン部
２４０…状態表示部
２５０…振動検知部
２６０…警備状態表示部
【図１】
2017027174.tif 000003
【図２】
2017027174.tif 000004
【図３】
2017027174.tif 000005
【図４】
2017027174.tif 000006
【図５】
2017027174.tif 000007
【図６】
2017027174.tif 000008
【図７】
2017027174.tif 000009
【図８】
2017027174.tif 000010
【図９】
2017027174.tif 000011
【図１０】
2017027174.tif 000012
【図１１】
2017027174.tif 000013
【図１２】
2017027174.tif 000014